(57)【特許請求の範囲】
【請求項１】
立体映像を表示する映像表示装置であって、
視聴中の映像が立体映像であるか否かを判定する映像判定手段と、
ユーザが立体メガネを装着しているか否かを判定する装着判定手段と、
立体映像を記録する記録装置と、
２次元映像から立体映像に切り替わった場合に、立体メガネの装着がないときには、立体映像の再生を一時停止し、該一時停止した停止位置を記憶し、立体メガネの装着が検出されたときに、前記記録装置から読み出した立体映像の再生を再開するように制御する制御手段と、を備えることを特徴とする映像表示装置。
【請求項２】
立体映像を表示する映像表示装置であって、
視聴中の映像が立体映像であるか否かを判定する映像判定手段と、
ユーザが立体メガネを装着しているか否かを判定する装着判定手段と、
２次元映像から立体映像に切り替わった場合に、立体メガネの装着がないときには、立体映像の再生を一時停止し、立体メガネの装着が検出されたときに立体映像の再生を再開するように制御する制御手段と、
立体映像を記録する記録装置と、を備え、
前記制御手段は、
視聴中の立体映像を記憶するように制御することを特徴とする映像表示装置。
【請求項３】
前記制御手段は、
視聴中の映像が２次元映像から立体映像に切り替わった直後からの立体映像を記憶するように制御することを特徴とする請求項２記載の映像表示装置。
【請求項４】
前記制御手段は、
立体映像の再生を一時停止してから所定時間経過した後に、立体メガネの装着が検出されないときは、立体映像から２次元映像に変換して表示するように制御することを特徴とする請求項１記載の映像表示装置。
【請求項５】
前記制御手段は、
立体映像の再生を一時停止してから所定時間経過した後に、立体メガネの装着が検出されたときは、立体映像を表示するように制御することを特徴とする請求項１記載の映像表示装置。
【請求項６】
立体映像を表示する映像表示方法であって、
視聴中の映像が立体映像であるか否かを判定する映像判定ステップと、
ユーザが立体メガネを装着しているか否かを判定する装着判定ステップと、
立体映像を記録装置に記録するステップと、
２次元映像から立体映像に切り替わった場合に、立体メガネの装着がないときには、立体映像の再生を一時停止し、該一時停止した停止位置を記憶し、立体メガネの装着が検出されたときに、前記記録装置から読み出した立体映像の再生を再開するように制御する制御ステップと、を有することを特徴とする映像表示方法。
【発明の詳細な説明】
【技術分野】
【０００１】
本発明は、２次元映像と立体映像とを切り替えて表示することが可能な映像表示装置および映像表示方法に関する。
【背景技術】
【０００２】
従来、立体映像表示装置としては、３Ｄ（立体映像）番組の視聴に関しては、２Ｄ（２次元映像）番組から３Ｄ番組に切り替わる直前に、例えば、「３Ｄメガネをかけてください」等のメッセージが表示されるものがあった。
また、ユーザが機器を装着したタイミングで動作を切り替える装置としては、ワイヤレスヘッドホンの例があり、ユーザがへッドホンを装着するとスイッチがＯＮして音が流れ、ヘッドホンを外すと音が流れなくなる。ただし、映像や音楽の再生自体は制御されない。
特許文献１には、ユーザの耳などからへッドホンが外された場合に再生中の音楽を停止し、へッドホンが装着されると再生を再開するという携帯端末装置が報告されている。
【０００３】
特許文献２には、３Ｄメガネがユーザに装着されている場合には３Ｄ映像を表示し、ユーザから３Ｄメガネが外されている場合には２Ｄ映像を表示するという立体映像表示装置が報告されている。
特許文献２では、３Ｄメガネの装着判定結果に基づいて、３Ｄ表示とするか２Ｄ表示とするかを切り替えているが、再生の停止、再生の再開といった制御を行っていなかった。このため、番組コンテンツが２Ｄ映像から３Ｄ映像に切り替わったことにユーザが気付かない場合には、番組が２Ｄで表示されてしまい３Ｄで視聴することができないといった問題があった。
【先行技術文献】
【特許文献】
【０００４】
【特許文献１】特開２００７−１２１６９４号公報
【特許文献２】特許第３９７６０４１号公報
【発明の概要】
【発明が解決しようとする課題】
【０００５】
２Ｄから３Ｄ放送に切り替わるタイミングを事前に上記のようなメッセージ方法がある。この方法としては、番組コンテンツの制作者が番組コンテンツを制作する際に、２Ｄ番組から３Ｄ番組へ切り替わる点に対し、あらかじめ番組コンテンツにメッセージを挿入しておく場合がある。また、番組コンテンツにはメッセージが含まれず、立体映像表示装置が２Ｄ番組から３Ｄ番組への切り替わる点を検知して、メッセージを表示する場合がある。
メッセージが番組コンテンツに含まれる場合、メッセージが表示されるのは番組コンテンツの制作者が決めた所定の期間である。したがって、メッセージの表示される所定の期間内にユーザが３Ｄメガネを装着しない場合、メッセージ終了後に番組本編が開始しても３Ｄで視聴することができなかった。
一方、立体映像表示装置がメッセージを表示する場合には、メッセージ表示中も番組本編が放送されている。したがって、メッセージが表示されている間は映像よりも通知されるメッセージの方にユーザの意識が移ってしまい、その間に番組本編を見逃す恐れがあった。また、ユーザが３Ｄメガネを装着している途中にも番組が放送されているので、３Ｄメガネの装着途中では３Ｄ映像を見逃してしまう恐れがあった。
【０００６】
また、２Ｄから３Ｄ放送に切り替わる直前のタイミングで３Ｄメガネを装着したい場合に、３Ｄメガネの装着タイミングが遅すぎると、切り替わり直後から３Ｄメガネの装着までの間の３Ｄ映像を観ることができないといった問題があった。
また、３Ｄ映像を再生する際にも最初から３Ｄで観たい場合は、３Ｄメガネをかけた状態で再生開始操作をする必要がある。この場合、３Ｄメガネをかけた状態であるため、３Ｄメガネをかけてから３Ｄ映像が表示されるまでの間はモニタ上に片フィールドの部分しか表示されず、操作するために表示されるユーザインターフェースが見づらくなるといった問題があった。
【０００７】
そこで、３Ｄメガネの装着が遅れた場合でも、２次元映像から立体映像に切り替わった直後からの立体映像を視聴することが切望されている。
本発明は、上記に鑑みてなされたもので、その目的としては、３Ｄメガネの装着が遅れた場合でも、２次元映像から立体映像に切り替わった直後からの立体映像を視聴することができる映像表示装置および映像表示方法を提供することにある。
【課題を解決するための手段】
【０００８】
上記課題を解決するために、本発明は、立体映像を表示する映像表示装置であって、視聴中の映像が立体映像であるか否かを判定する映像判定手段と、ユーザが立体メガネを装着しているか否かを判定する装着判定手段と、立体映像を記録する記録装置と、２次元映像から立体映像に切り替わった場合に、立体メガネの装着がないときには、立体映像の再生を一時停止し、該一時停止した停止位置を記憶し、立体メガネの装着が検出されたときに、記録装置から読み出した立体映像の再生を再開するように制御する制御手段と、を備えることを特徴とする。
【０００９】
本発明は、立体映像を表示する映像表示方法であって、視聴中の映像が立体映像であるか否かを判定する映像判定ステップと、ユーザが立体メガネを装着しているか否かを判定する装着判定ステップと、立体映像を記録装置に記録するステップと、２次元映像から立体映像に切り替わった場合に、立体メガネの装着がないときには、立体映像の再生を一時停止し、該一時停止した停止位置を記憶し、立体メガネの装着が検出されたときに、記録装置から読み出した立体映像の再生を再開するように制御する制御ステップと、を有することを特徴とする。
【発明の効果】
【００１０】
本願発明は、２次元映像から立体映像に切り替わった場合に、立体メガネの装着がないときには、立体映像の再生を一時停止し、立体メガネの装着が検出されたときに立体映像の再生を再開するように制御することで、３Ｄメガネの装着が遅れた場合でも、２次元映像から立体映像に切り替わった直後からの立体映像を視聴することができる。
【図面の簡単な説明】
【００１１】
【図１】本発明の第１実施形態に係る立体映像表示装置のブロック構成を示す図である。
【図２】本発明の第１実施形態に係る立体映像表示装置を制御するためのフローチャートである。
【図３】本発明の第２実施形態に係る立体映像表示装置を制御するためのフローチャートである。
【発明を実施するための形態】
【００１２】
以下に、本発明の実施形態について図面を参照して説明する。
＜第１実施形態＞
図１に示すブロック図を参照して、本発明の第１実施形態に係る立体映像表示装置のブロック構成について説明する。
図１に示すように、立体映像表示装置は、アンテナ１１、放送波受信部１２、２Ｄ／３Ｄ放送識別子検出部１３、録画制御部１４、３Ｄメガネ１５、装着検出センサ１６、再生制御部１７、記憶装置１８、映像表示部１９を備えている。
【００１３】
放送波受信部１２は、いわゆるテレビジョン受信部であり、アンテナ１１から受信した放送波を検波して例えばＡＲＩＢ規格に基づいたストリームを生成し、受信したストリームから映像ストリーム、音声ストリームを抽出する。なお、第１実施形態においては、上記音声ストリームについては直接の関係がないのでその詳細な説明を省略する。
また、放送波受信部１２は、符号化された映像ストリームを複合し、３Ｄ映像の場合は生のサイドバイサイド方式の左右の映像データを生成し、２Ｄ映像の場合にはその映像データを出力する。
【００１４】
２Ｄ／３Ｄ放送識別子検出部１３は、地上波、ＢＳ（放送衛星）、ＣＳ（通信衛星）を使ったデジタル放送において、伝送データの映像ストリームに含まれる識別子の１つとして対象映像が３Ｄ映像であることを示す３Ｄフラグがあるか否かを検出する。
３Ｄメガネ１５は、ユーザが装着するものであり、映像表示部１９上に表示された視差画像のうち右目用画像のみを透過する右目用透過部１５Ｒと、映像表示部１９上に表示された視差画像のうち左目用画像のみを透過する左目用透過部１５Ｌとを有している。そして、ユーザが３Ｄメガネ１５を装着した際に、右目用透過部１５Ｒがユーザの右目の前に配置され、左目用透過部１５Ｌがユーザの左目の前に配置されるように、右目用透過部１５Ｒ及び左目用透過部１５Ｌが配置されている。
【００１５】
具体的には、３Ｄメガネ１５は、右目用透過部１５Ｒと左目用透過部１５Ｌとで異なる回転方向の円偏光光を透過する円偏光眼鏡であり、右目用透過部１５Ｒが映像表示部１９から３Ｄメガネ１５の方向に見て右回転方向の円偏光光のみを透過する円偏光板として構成されており、左目用透過部１５Ｌが映像表示部１９から３Ｄメガネ１５の方向に見て左回転方向の円偏光光のみを透過する円偏光板として構成されている。
なお、円偏光光は、反射されることによって、その回転方向が変化するため、映像表示部１９内において、映像表示部１９に表示された画像光が反射される場合には、その反射回数に応じて右目用透過部１５Ｒ及び左目用透過部１５Ｌが透過する円偏光光の回転方向を変化させる。つまりは、映像表示部１９に表示され左目用ラインによる画像光がユーザの左目のみに到達し、映像表示部１９に表示された右目用ラインによる画像光がユーザの右目のみに到達するように、右目用透過部１５Ｒ及び左目用透過部１５Ｌが選択される。
【００１６】
また、３Ｄメガネ１５のフレーム上には、複数の再帰性反射材１５Ｈが配置されている。この再帰性反射材１５Ｈは、光を入射方向に反射するものであり、ガラスのビーズ等を用いることができる。
タイムシーケンシャル方式では、ディスプレイ上にフレーム毎にＬ（左眼映像）とＲ（右眼映像）を交互表示する。そして視聴者は、液晶シャッタメガネでフレームに同期して左右の映像を分離する。なお、液晶シャッタメガネのシャッター動作と表示フレームは赤外線通信等を利用して同期がとられる。
偏光方式では、偏光素子を映像表示部１９（例えば、液晶ディスプレイ）上に位相差フィルムとして重ね合わせ、ライン（水平走査線）毎に直交する偏光でＬ（左眼映像）とＲ（右眼映像）を表示する。この偏光方向の異なるラインの映像を偏光メガネでライン毎に分離して立体映像を得る。
【００１７】
装着検出センサ１６は、３Ｄメガネ１５のフレーム上に設けられた複数の再帰性反射材１５Ｈからの反射光を入射して、反射光の有無によりユーザが３Ｄメガネ１５を装着しているか否かを検出する。
なお、装着検出センサ１６は、カメラで撮影した映像を解析することにより、ユーザがメガネを装着しているか否かを判定するようにしてもよい。また、装着検出センサ１６は、ユーザの側頭部がマイクロスイッチの突起部を押し下げることにより、ユーザがメガネを装着しているか否かを判定するようにしてもよい。また、装着検出センサ１６は、ユーザの側頭部が周囲の光を遮ることを検出することにより、ユーザがメガネを装着しているか否かを判定するようにしてもよい。
【００１８】
録画制御部１４は、２Ｄ／３Ｄ放送識別子検出部１３からの識別子の検出結果と、装着検出センサ１６からの３Ｄメガネ１５の検出結果とに基づいて、映像データおよび音声データを記憶装置１８へ録画または録画停止するという制御を行う。
再生制御部１７は、２Ｄ／３Ｄ放送識別子検出部１３からの識別子の検出結果と、装着検出センサ１６からの３Ｄメガネ１５の検出結果とに基づいて、映像データおよび音声データを記憶装置１８から読み出して再生または再生停止するという制御を行う。
また、再生制御部１７は、記憶装置１８から読み出したデコードされたサイドバイサイド方式の左右の映像データからラインバイライン方式の３Ｄ映像を生成して映像表示部１９に出力し、３Ｄ映像を表示させる。
さらに、再生制御部１７は、ライブ試聴として、放送波受信部１２から出力されるデコードされたサイドバイサイド方式の左右の映像データからラインバイライン方式の３Ｄ映像を生成して映像表示部１９に出力し、３Ｄ映像を表示させる。
【００１９】
記憶装置１８は、例えばハードディスクＨＤを内蔵しており、録画制御部１４からの指示に基づいて、映像データおよび音声データをハードディスクＨＤに記録するとともに、再生制御部１７からの指示に基づいて、ハードディスクＨＤに記録されている映像データおよび音声データを読み出して再生制御部１７に出力する。
映像表示部１９は、例えば液晶ディスプレイを有し、液晶ディスプレイ上に位相差フィルムとして重ね合わせ、ライン（水平走査線）毎に直交する偏光でＬ（左眼映像）とＲ（右眼映像）を表示する。
なお、録画制御部１４および再生制御部１７によるそれぞれの制御処理は役割を分けて便宜的に表現したものであり、ＣＰＵとメモリを有する制御部（図示しない）で行ってもよい。
【００２０】
図２に示すフローチャートを参照して、本発明の第１実施形態に係る立体映像表示装置の制御動作について説明する。なお、制御部は、図２に示すフローチャートで表現されるソフトウエアのプログラムを実行する。
まず、ステップＳ１０では、制御部は、２Ｄ／３Ｄ放送識別子検出部１３に、放送波受信部１２から出力される伝送データの映像ストリームに３ｄ放送識別子として３Ｄフラグがあるか否かを検出させ、その検出結果を取得する。そして、制御部は、３Ｄフラグがない状態（２Ｄ）から３Ｄフラグがある状態（３Ｄ）に切り替わったか否かを判断する。３Ｄフラグがない状態から３Ｄフラグがある状態に切り替わった場合にはステップＳ２０に進む。
【００２１】
次いで、ステップＳ２０では、制御部は、装着検出センサ１６に、３Ｄメガネ１５のフレーム上に設けられた複数の再帰性反射材１５Ｈからの反射光を入射して、反射光の有無によりユーザが３Ｄメガネ１５を装着しているか否かを検出させ、その検出結果を取得する。そして、制御部は、装着検出センサ１６から取得した検出結果について、３Ｄメガネ１５を装着しているか否かを判断する。ここで、ユーザが３Ｄメガネ１５を装着している場合にはステップＳ２５に進む。一方、ユーザが３Ｄメガネ１５を装着していない場合にはステップＳ３０に進む。
３Ｄメガネ１５を装着している場合、ステップＳ２５では、制御部は、放送波受信部１２から出力されるデコードされたサイドバイサイド方式の左右の映像データからラインバイライン方式の３Ｄ映像を生成して映像表示部１９に出力するという再生動作を継続し、ステップＳ２０に戻る。
【００２２】
一方、まだ３Ｄメガネ１５を装着していない場合、ステップＳ３０では、制御部は、ライブ試聴中か否かを判断する。すなわち、制御部は、再生制御部１７が、ライブ試聴として、放送波受信部１２から出力されるデコードされたサイドバイサイド方式の左右の映像データからラインバイライン方式の３Ｄ映像を生成して映像表示部１９に出力しているか否かを判断する。
ここで、ライブ試聴中である場合にはステップＳ３５に進む。一方、ライブ試聴中ではない場合にはステップＳ４０に進む。
【００２３】
ライブ試聴中である場合には、ステップＳ３５では、制御部は、録画制御部１４に対して、放送波受信部１２から出力されるデコードされたサイドバイサイド方式の左右の映像データおよび音声データを記憶装置１８へ録画するように制御し、再生制御部１７に対して、記憶装置１８からの映像の再生処理を開始するように制御する。なお、映像データにはタイムスタンプデータが付加されている。これにより、書き込み位置と読み出し位置が異なるタイムシフト機能の設定を行うことができる。
次いで、ステップＳ４０では、制御部は、再生制御部１７に対して、記憶装置１８からの映像の再生処理を一時停止し、一時停止時点でのフレーム映像を静止画として映像表示部１８に出力するように制御する。なお、このとき録画制御部１４による記憶装置１８への録画は継続されている。
このとき、制御部は、映像データに付加されているタイムスタンプデータを停止位置情報としてメモリに記憶する。
【００２４】
次いで、ステップＳ４５では、制御部は、装着検出センサ１６を起動して装着検出センサ１６からの検出結果を取得し、３Ｄメガネ１５を装着しているか否かを判断する。ここで、ユーザが３Ｄメガネ１５を装着している場合にはステップＳ５０に進む。一方、ユーザが３Ｄメガネ１５を装着していない場合にはステップＳ４５に戻る。
次いで、ユーザが３Ｄメガネ１５を装着している場合、ステップＳ５０では、制御部は、メモリに停止位置情報として記憶してあったタイムスタンプデータを読み出し、この停止位置から再生を開始するように再生制御部１７を制御する。
この結果、再生制御部１７は、記憶装置１８から出力される左右の映像データからラインバイライン方式の３Ｄ映像を生成して映像表示部１９に出力するので、２Ｄ映像から３Ｄ映像に切り替わった位置（停止位置）から再生を開始することができる。
【００２５】
このように、受信中の番組が２Ｄ番組から３Ｄ番組に切り替わるタイミングで３Ｄメガネの装着の有無を判断し、３Ｄメガネが装着されていない場合、２Ｄ番組から３Ｄ番組に切り替わるタイミングで映像再生を一時停止し、その後、３Ｄメガネが装着されたときに録画された３Ｄ映像の再生を再開する。このため、２Ｄ番組から３Ｄ番組に切り替わった直後からの３Ｄ映像を再生して楽しむことができる。
なお、３Ｄメガネが装着されている場合に、３Ｄ番組から２Ｄ番組に切り替わるタイミングで再生一時停止するように制御する。
【００２６】
また、ライブで観ている場合は、録画（夕イムシフト視聴）を開始し、２Ｄ番組から３Ｄ番組に切り替わる場合だけでなく、３Ｄ番組を再生する際に３Ｄメガネを装着していない場合、再生開始の直後に再生を一時停止状態にし、３Ｄメガネを装着したときに再生を再開する。
これにより、３Ｄメガネの装着が遅れた場合でも、３Ｄ番組に切り替わる際の最初の３Ｄ映像部分を見逃すことなく視聴することができる。この場合、３Ｄ放送に切り替わる際に、慌てて３Ｄメガネを装着する必要がなくなる。また、従来のような巻き戻しといった手間をかけずに、３Ｄ番組の最初から３Ｄメガネを装着して視聴することができるようになる。
また、従来のように、２Ｄから３Ｄ放送に切り替わるタイミングを事前に３Ｄメガネの装着を促すメッセージを通知しなくとも、３Ｄ番組に切り替わる際の最初の３Ｄ映像部分を見逃すことなく視聴することができる。この場合、３Ｄメガネの装着を促すメッセージを表示しないので、映像から注意を逸らしてしまうことがなくなる。
【００２７】
＜第２実施形態＞
本発明の第２実施形態に係る立体映像表示装置のブロック構成は、第１実施形態において用いた図１に示すブロック構成と同様であるのでその説明を省略する。
図３に示すフローチャートを参照して、本発明の第２実施形態に係る立体映像表示装置の制御動作について説明する。なお、図３に示すステップにおいて図２に示すステップと同様の処理については、その説明を省略する。
まず、ステップＳ７０では、制御部は、タイマを起動する。
次いで、ステップＳ７５では、制御部は、タイマを起動してから１分間が経過したか否かを判断する。ここで、１分間が経過していない場合には、ステップＳ４５に進み、上述したようにユーザが３Ｄメガネを装着するのを待つ。一方、１分間が経過した場合にはステップＳ８０に進む。
【００２８】
１分間が経過してもユーザが３Ｄメガネを装着していない場合には、ステップＳ８０では、制御部は、２Ｄ／３Ｄ放送識別子検出部１３を起動して３Ｄフラグを参照し、３Ｄ放送があるか否かを判断する。
ここで、３Ｄ放送がある場合にはステップＳ８５に進む。一方、３Ｄ放送がない場合には処理を終了する。
次いで、ユーザが３Ｄメガネを装着していない場合に３Ｄ放送があるときには、ステップＳ８５では、制御部は、再生制御部１７に対して、３Ｄ映像から２Ｄ映像へ変換するように制御する。すなわち、再生制御部１７は、サイドバイサイド方式の左目用の映像データと右目用の映像データとをラインバイライン方式の映像データに変換する処理を停止し、サイドバイサイド方式の左目用の映像データと右目用の映像データとから何れか一方の映像データを選択し、選択された一方の映像データのそれぞれのラインデータを２度読み出しして２Ｄ映像データを生成し、この２Ｄ映像データを映像表示部１９に出力する。
この結果、３Ｄ映像から２Ｄ映像に変換された後の２Ｄ映像が映像表示部１９に表示されるので、３Ｄメガネを装着していないユーザにも映像を視認することができる。
【００２９】
＜他の実施形態１＞
図１に示す再生制御部１７に、３Ｄ番組に切り替わった箇所（３Ｄ番組の先頭）に戻ることを示す３Ｄ再生スイッチ（図示しない）を接続しておき、３Ｄメガネを装着したユーザが、３Ｄ再生スイッチを押し下げた場合、これに応じて再生制御部１７が記憶装置１８に記憶してある３Ｄ番組の先頭位置（タイムスタンプ）から左右の映像データの読み出しを開始し、左右の映像データからラインバイライン方式の３Ｄ映像を生成して映像表示部１９に出力することができ、３Ｄ映像を楽しむことができる。
この場合、受信した映像データ自体は順次に記憶装置１８に一時停止せずに記憶される。ユーザが３Ｄメガネを装着した後に、３Ｄ再生スイッチを１回押す操作で３Ｄ番組の先頭に戻って３Ｄ映像を再生することができる。
【００３０】
＜他の実施形態２＞
録画制御部１４が、３Ｄ番組に切り替わる箇所をチャプターに設定し、記憶装置１８に映像データとチャプターとを書き込むように制御してもよい。なお、チャプターとは、映像のシーンや場面ごとにあらかじめ「区切れ」を入れておくものであり、シーンや場面ごとにジャンプする再生を可能にするための映像の「もくじ」である。
３Ｄメガネを装着したユーザが、上述した３Ｄ再生スイッチを押し下げた場合、これに応じて再生制御部１７が記憶装置１８に記憶してある３Ｄ番組のチャプターから左右の映像データの読み出しを開始し、左右の映像データからラインバイライン方式の３Ｄ映像を生成して映像表示部１９に出力することができ、３Ｄ映像を楽しむことができる。
【００３１】
＜応用例１＞
本発明の実施形態では、２Ｄ番組から３Ｄ番組に切り替わった場合に、３Ｄメガネの装着が遅れたときの制御手法について説明したが、本発明はこのような場合に限定されるものではなく、例えば、５．１ｃｈのサラウンドヘツドホンの装着が遅れたときの制御手法にも応用することができる。
＜応用例２＞
本発明の実施形態では、ユーザに３Ｄメガネを装着させて３Ｄ番組を視聴するときの制御手法について説明したが、本発明はこのような場合に限定されるものではなく、例えば、裸眼立体視方式の立体映像表示装置にも応用することができる。
【産業上の利用可能性】
【００３２】
本発明は、テレビジョン受信機、ＤＶＤプレイヤ、パーソナルコンピュータ等を用いて立体映像情報を再生することに利用できる。
【符号の説明】
【００３３】
１１    アンテナ
１２    放送波受信部
１３    ２Ｄ／３Ｄ放送識別子検出部
１４    録画制御部
１５    ３Ｄメガネ
１６    装着検出センサ
１７    再生制御部
１８    記憶装置
１９    映像表示部
【図１】
0005697468.tif 000002
【図２】
0005697468.tif 000003
【図３】
0005697468.tif 000004